【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
測位システムであって、
第１デバイス中の距離センサ、方位センサ、及び移動センサのうちの少なくとも１つのセンサからなる、位置の特定のための複数の第１センサと、
第２デバイス中の距離センサ、方位センサ、及び移動センサのうちの少なくとも１つのセンサからなる、位置の特定のための複数の第２センサと、
位置の特定のための前記複数の第１センサ又は前記複数の第２センサから受信したデータを格納するように構成された、前記第１デバイスと前記第２デバイスとのうちの少なくとも一方のデバイス中のメモリと、
位置決定のための前記複数の第１センサ又は前記複数の第２センサから受信した前記データを解析して、前記第１デバイスと前記第２デバイスとのうちの一方のデバイスの位置を特定するように構成された、前記第１デバイスと前記第２デバイスとのうちの少なくとも一方のデバイス中のプロセッサと
を具備し、
前記第２デバイスは、前記第１デバイスの送信した無線信号を検出することによって前記第１デバイスを検出するように構成されており、前記第１デバイスと直接に双方向通信を行うことを特徴とするシステム。
【請求項２】
前記プロセッサが１つ以上の命令を実行し、
前記プロセッサによって実行される前記１つ以上の命令は、
位置の特定のための前記複数の第１センサ又は前記複数の第２センサから受信した前記データに基づいて、相対位置情報を算出する命令を含み、
前記相対位置情報は、
ａ）前記第１デバイスと前記第２デバイスとの間の距離と、
ｂ）移動ベクトル及び傾斜角と、
ｃ）ローカル地磁界によって定まる方向又は方位と
からなることを特徴とする請求項１に記載のシステム。
【請求項３】
前記プロセッサによって実行される前記１つ以上の命令が、
前記第１デバイスと前記第２デバイスとの間の関係を特定する命令をさらに含むことを特徴とする請求項１に記載のシステム。
【請求項４】
前記プロセッサによって実行される前記１つ以上の命令が、
前記第１デバイスと前記第２デバイスとの間の前記関係をグラフィカルに示す命令をさらに含むことを特徴とする請求項２に記載のシステム。
【請求項５】
前記プロセッサによって実行される前記１つ以上の命令が、
所定の基準に従って、前記第１デバイス又は前記第２デバイスの通信範囲に存在する１つ以上の他のデバイスをフィルタする命令をさらに含むことを特徴とする請求項１に記載のシステム。
【請求項６】
前記プロセッサによって実行される前記１つ以上の命令が、
前記第１デバイス又は前記第２デバイスの通信範囲内のオブジェクト、タグ、又はビーコンに関するデータを受信する命令をさらに含むことを特徴とする請求項１に記載のシステム。
【請求項７】
受信した前記オブジェクト、タグ、又はビーコンに関するデータが、識別子と、関係と、グループ帰属と、個人情報プロファイルと、タグ情報プロファイルとからなることを特徴とする請求項６に記載のシステム。
【請求項８】
受信した前記オブジェクト、タグ、又はビーコンに関するデータが、前記第１デバイス又は前記第２デバイスにおいてグラフィカルに表示されることを特徴とする請求項６に記載のシステム。
【請求項９】
前記プロセッサによって実行される前記１つ以上の命令が、
前記識別子又は前記関係に従って、フィルタリングを行う命令をさらに含むことを特徴とする請求項７に記載のシステム。
【請求項１０】
前記フィルタリングの結果が、前記第１デバイス又は前記第２デバイスにおいてグラフィカルに表示されることを特徴とする請求項９に記載のシステム。
【請求項１１】
前記プロセッサによって実行される前記１つ以上の命令が、
相対高さを算出する命令をさらに含むことを特徴とする請求項１に記載のシステム。
【請求項１２】
少なくとも第２デバイスについての複数のセンサデータを第１デバイスで受信する段階と、
前記複数のセンサデータに基づいて、前記第２デバイスの相対位置情報を算出する段階と、
前記第２デバイスからのデータを前記第１デバイスで受信する段階と、
受信した前記データを前記第２デバイスの前記相対位置情報に関連付ける段階と
を有し、
前記相対位置情報は、
ａ）前記第１デバイスと前記第２デバイスとの間の距離と、
ｂ）移動ベクトル及び傾斜角と、
ｃ）ローカル地磁界によって定まる方向又は方位と
からなることを特徴とする方法。
【請求項１３】
前記第１デバイスと前記第２デバイスとの間の関係を、前記第１デバイス又は前記第２デバイスにおいて特定する段階をさらに有することを特徴とする請求項１２に記載の方法。
【請求項１４】
前記第１デバイスと前記第２デバイスとの間の前記関係を、前記第１デバイス又は前記第２デバイスにおいてグラフィカルに示す段階をさらに有することを特徴とする請求項１３に記載の方法。
【請求項１５】
所定の基準に従って、通信範囲内の１つ以上の他のデバイスを、前記第１デバイス又は前記第２デバイスにおいてフィルタする段階をさらに有することを特徴とする請求項１２に記載の方法。
【請求項１６】
通信範囲内のオブジェクト、タグ、又はビーコンに関するデータを、前記第１デバイス又は前記第２デバイスで受信する段階をさらに有することを特徴とする請求項１２に記載の方法。
【請求項１７】
受信した前記オブジェクト、タグ、又はビーコンに関するデータが、識別子と、関係と、グループ帰属と、個人情報プロファイルと、タグ情報プロファイルとからなることを特徴とする請求項１６に記載の方法。
【請求項１８】
受信した前記オブジェクト、タグ、又はビーコンに関するデータが、前記第１デバイス又は前記第２デバイスにおいてグラフィカルに表示されることを特徴とする請求項１６に記載の方法。
【請求項１９】
前記識別子又は前記関係に従って、前記第１デバイス又は前記第２デバイスでフィルタリングを行う段階をさらに有することを特徴とする請求項１７に記載の方法。
【請求項２０】
前記フィルタリングの結果が、前記第１デバイス又は前記第２デバイスにおいてグラフィカルに表示されることを特徴とする請求項１９に記載の方法。
【請求項２１】
相対高さを算出する段階をさらに有することを特徴とする請求項１２に記載の方法。
【請求項２２】
測位システムであって、
第１デバイス中に、
プロセッサと、
複数のセンサと、
実行のために１つ以上の命令を格納するように構成されたメモリと
を具備し、
前記１つ以上の命令は、
前記複数のセンサからデータを受信する命令と、
受信した前記データを格納する命令と、
受信した前記データを解析して、第２デバイスの位置を特定する命令と
からなり、
前記データは、前記第２デバイスの位置情報を含み、
前記第２デバイスは、前記第１デバイスの送信した無線信号を検出することによって前記第１デバイスを検出するように構成されており、前記第１デバイスと直接に双方向通信を行うことを特徴とするシステム。
【請求項２３】
前記複数のセンサが、距離センサ、方位センサ、及び移動センサからなることを特徴とする請求項２２に記載のシステム。
【請求項２４】
前記第１デバイスと前記第２デバイスとのうちの一方のデバイスの位置特定データが、少なくとも前記第１デバイスと前記第２デバイスとの間で共有されるファイルに格納されることを特徴とする請求項１に記載のシステム。
【請求項２５】
前記位置特定データが、他の複数のデバイスに対する前記第１デバイス又は前記第２デバイスの位置の特定のために使用されることを特徴とする請求項２４に記載のシステム。